(57)【要約】      （修正有）【課題】建設現場でのクレーン事故を減らし、玉掛け作業の時間短縮をはかる。現場作業の安全性の向上と効率化を可能にする用具を提供する。【解決手段】現在使用されている接続用具（シャックル）を、円形に変えてワイヤーの通りを良くするとともに、円形シャックルに対して垂直にフックを取り付けるものでそのジョイント部が回転するため、細い資材にも締め付けが正確である。また、外れ止めを付けることで、玉掛け作業を安全でスムーズにし、時間短縮が行えるようにする。【選択図】図９
2014201444.tif 000002
【特許請求の範囲】
【請求項１】
円形シャックルのネジピンに固定させるパイプ状のジョイント部に垂直なフックを固定させ、さらに、フックにつけられたワイヤー外れ止め棒が玉掛けワイヤーの留め具となり、玉掛けワイヤーはフックから外れることなく固定され、玉掛け作業を迅速かつ正確に行うとともに、ワイヤーの捻りをなくすためにも、円形シャックルのネジピンに対して垂直なフックを配置し、そのフックに外れ止めを取り付けた玉掛け用具です。
【発明の詳細な説明】
【技術分野】
【０００１】  本発明は玉掛けワイヤーで建設資材その他を絞り上げて吊り上げる際の結束を確実かつ迅速に行うための玉掛用器具である。【０００２】  従来には、Ｕ字型の金具とねじピンをねじ込んで結束するシャックルとよばれる、結束用の金具があった。
【発明が解決しようとする課題】
【０００３】  従来は、次のような問題点があった。
【０００４】作業の非効率
何回とくり返される玉掛けの作業の際に、クレーンはたびたび待機し、シャックルのとめネジの取り外しや取り付けに多くの時間が費やされており、玉掛けにかかる時間が現場作業の時間的なストレスとなっている。
【０００５】玉掛けワイヤーの損傷とその使用による玉掛け作業の不安
玉掛けワイヤーとシャックルだけの関係では結束時に玉掛けワイヤーが少なくとも９０度に捻られることや、その都度さまざまな形に玉掛けワイヤーを捻るため、ワイヤーの劣化や捻れがおき、傷みやすかった。さらに歪んだ玉掛けワイヤーの使用により、結束が不完全になることも想定できた。
【０００６】クレーンでの揚重作業の危険性
ワイヤー同士を接続させるにはシャックルという金具を資材の玉掛けの際に玉掛けワイヤーと貢材を安定あるいは固定させるための鉄具として使用している。しかし、結束の絞りがが不充分なときには資材が落下したり、作業員が怪我を負うことが従来からの問題となっている。また、鉄筋のような細い金属の小束は玉掛けワイヤーとシャックルの組合せだけでは、ワイヤーがきっちりと曲がりきらないために、締め付けが不可能であり、資材をしっかりと結束することができず、その為に、玉掛けワイヤーがずれたりするなど落下の危険性があった。
【０００７】  本発明は、これらの問題点を解決するためになされたものである。
【課題を解決するための手段】
【０００８】作業の効率改善・ストレスの軽減
現在使用されている接続用具（シャックル）のネジの取り外し作業と取り付けるためのネジ回し作業をなくし、ストレスの軽減、時間短縮など、無理や無駄のない作業が行えるようにしなければならない。
【０００９】玉掛けワイヤーの劣化の低減
従来のシャックルでの玉掛け作業時におこるワイヤーの捻り、摩耗、損傷、たわみなどの劣化を低減しなければならない。
【００１０】クレーンでの資材の揚重作業時の危険性の回避
吊り荷の締め付けを確実なものとし、吊り荷の落下や飛散、そのほかクレーンでの巻き上げ時のワイヤーのズレを回避し、より安全な作業にしなければならない。
【発明の効果】
【００１１】  現在使用されている接続用具（シャックル）をワイヤーが通るための間隔を取るために円形にした金具を使用し、ジョイントのネジピン部に外れ止め付きのフックを取り付けることでシャックルのネジの取り外し作業がなくなり、結束作業が手早く行え、留めネジの取り外し、取り付けが回避され作業が迅速になる。
（作業の効率改善）
【００１２】  この機具を円形シャックルのネジピンに対して垂直なフックを組み合わせて使用することにより、作業時におこる玉掛けワイヤーの捻りがなくなり、玉掛けワイヤーの摩耗、損傷、たわみなどの劣化を大幅に低滅できる。
（玉掛けワイヤーの劣化の低減）
【００１３】  円形シャックルのネジピンに対して、垂直にフックを配置した組み合わせにより、結束がより確実となるだけ  でなく、玉掛けワイヤーの捻りがなくなり、締め付け位置が安定する。フックに外れ止めを取り付けたものを組み合わせて使用することにより、結束がより安全なものとなる。
また、円形シャックルと本発明品を組み合わせて使用することにより、ジョイント部分が二つに折れることにより、揚重資材を挟み込み確実な玉掛けになり、ワイヤーをいじめることなく、鉄筋などの、重くて細い資材の吊り上げも安全である。
（作業時の危険性の回避）
【図面の簡単な説明】
【００１４】
【図１】  従来使用されている接続用具（シャックル）の分解斜視図
【図２】  従来の接続用具（シャックル）にワイヤーを回した状態の図
【図３】  従来の接続用具（シャックル）とワイヤーの空中移動時の図
【図４】  従来の接続用具（シャックル）にワイヤーを取り付ける際の斜視図
【図５】  従来の接続用具（シャックル）の使用状態を示す斜視図
【図６】  ワイヤーがこれ以上曲がらず、締め付け不可能なワイヤーの状態を示す斜視図
【図７】  本発明品の分解斜視図
【図８】  本発明品の組立斜視図
【図９】  本発明品にワイヤーを取り付ける際の斜視図
【図１０】  本発明品の使用状態を示す斜視図
【図１１】  本発明のその他の実施の形態を示す側面図
【図１２】  本発明のワイヤーの空中移動時の図
【図１３】  本発明品とワイヤーの関係の斜視図
【発明を実施するための形態】
【００１５】  以下、本発明の実施の形態について説明する。
【００１６】  本発明品のパイプ状のジョイント部（１）に、円形シャックルのネジピン（５）を配置し、円形シャックル本体（４）に取り付ける。ワイヤーを引っ掛けるために必要な角度をつけた、もしくはワイヤーを保持する空間（６）を設けたアーム状のフック（２）があり、そのフックの先端部には、フックと垂直に左右に伸びるバー、ワイヤー外れ止め捧（３）が取り付けられている。本発明品は、左右対称構造となっている。また、円形シャックルのネジピンは、回転によって外れることのないように、本発明品取り付け後に溶接止めする。
【００１７】  玉掛けワイヤーは一度円形シャックルの中を通り抜けて、揚重資材の外周を通り一周させて、ワイヤー外れ止め棒にワイヤーの輪になっている部分を横から右、左とスライドさせて、くぐして、フックに引っ掛けられて固定される。
このため、玉掛けワイヤーの輪になっている部分は捻られることなく左右均等の力が加わることによりワイヤーの損傷を防ぎ、クレーンからの揚力が加わると吊り上げ資材自体の重量により締め付けられていく。
【符号の説明】
【００１８】  （Ａ）  従来の接続用具（シャックル）の胴体
（Ｂ）  従来の接続用具（シャックル）のネジピン
（１）  パイプ状のジョイント部
（２）  アーム状のフック
（３）  ワイヤー外れ止め棒
（４）  円形シャックル本体
（５）  円形シャックルのネジピン
（６）  ワイヤーを保持する空間
【図１】
2014201444.tif 000003
【図２】
2014201444.tif 000004
【図３】
2014201444.tif 000005
【図４】
2014201444.tif 000006
【図５】
2014201444.tif 000007
【図６】
2014201444.tif 000008
【図７】
2014201444.tif 000009
【図８】
2014201444.tif 000010
【図９】
2014201444.tif 000011
【図１０】
2014201444.tif 000012
【図１１】
2014201444.tif 000013
【図１２】
2014201444.tif 000014
【図１３】
2014201444.tif 000015